(57)【要約】      （修正有）【課題】銃身部とハンドガード部の迅速な結合と分離を達成し、工具を使用せずに着脱でき、交換の時間、コスト、利便性を大幅に向上させることができる、トイガンのハンドガードクイックリリース構造を提供する。【解決手段】トイガンのハンドガードクイックリリース構造は、銃身軸着部１１を備えた銃身部１と、ハンドガード軸着部２１を備えたハンドガード部２と、相互を背にして離隔された位置にそれぞれ銃身枢着部３１及び銃身結合部３２を備えた銃身係止部材３と、両端にそれぞれハンドガード枢着部４１及びハンドガード結合部４２を備えたハンドガード係止部材４を含み、ハンドガード係止部材はハンドガード部と銃身部を結合するとき、ハンドガード結合部が銃身結合部と相互に係合固定され、ハンドガード部と銃身部を分離するとき、ハンドガード結合部が銃身結合部から離脱される。【選択図】図３
0003232046.tif 000002
【実用新案登録請求の範囲】
【請求項１】
トイガンのハンドガードクイックリリース構造であって、主に、
銃身軸着部を備えた銃身部と、
前記銃身部上に設置され、かつハンドガード軸着部を備えたハンドガード部と、
一端に前記銃身軸着部上に可動的に枢着される銃身枢着部を備え、前記銃身枢着部から離隔された位置に銃身結合部を備えた銃身係止部材と、
一端に前記ハンドガード軸着部上に可動的に枢着されるハンドガード枢着部を備え、他端にハンドガード結合部を備えたハンドガード係止部材と、を含み、かつ前記ハンドガード係止部材が、前記ハンドガード部と前記銃身部を結合するとき、前記ハンドガード結合部と前記銃身結合部を相互に係合固定させることができ、前記ハンドガード部と前記銃身部を分離するとき、前記ハンドガード結合部を前記銃身結合部から離脱させることができ、かつ前記銃身結合部と前記ハンドガード結合部が結合により位置決めされる位置が、前記銃身枢着部と前記ハンドガード枢着部の水平高さより高い、ことを特徴とする、トイガンのハンドガードクイックリリース構造。
【請求項２】
前記銃身係止部材が、前記銃身結合部の前記銃身枢着部と反対側の一端にプル部を備えた、ことを特徴とする、請求項１に記載のトイガンのハンドガードクイックリリース構造。
【請求項３】
前記ハンドガード部が底部に前記プル部を収容するためのハンドガード収容空間を備え、かつ前記ハンドガード収容空間の一側に通口が設けられた、ことを特徴とする、請求項２に記載のトイガンのハンドガードクイックリリース構造。
【請求項４】
前記銃身係止部材が、前記銃身結合部と前記プル部の間に水平抵触部を備えた、ことを特徴とする、請求項２に記載のトイガンのハンドガードクイックリリース構造。
【請求項５】
前記銃身結合部が２つの壁部を備え、前記２つの壁部間に嵌合空間が形成され、かつ前記２つの壁部間に、両端がそれぞれ各該壁部に接合された係止棒が設置された、ことを特徴とする、請求項１に記載のトイガンのハンドガードクイックリリース構造。
【請求項６】
前記ハンドガード結合部が凹陥溝を備え、前記凹陥溝を前記嵌合空間内に挿入させて、前記係止棒と相互に結合させることができる、ことを特徴とする、請求項５に記載のトイガンのハンドガードクイックリリース構造。
【請求項７】
前記銃身係止部材が前記銃身枢着部と前記２つの壁部の間に配置され前記嵌合空間に連通された溝部を備えた、ことを特徴とする、請求項５に記載のトイガンのハンドガードクイックリリース構造。
【請求項８】
前記ハンドガード枢着部が一側に銃身部下方に当接される圧迫部を備えた、ことを特徴とする、請求項１に記載のトイガンのハンドガードクイックリリース構造。
【考案の詳細な説明】
【技術分野】
【０００１】
本考案はトイガンに関し、特に、トイガンのハンドガードを迅速に取り外して交換できる、トイガンのハンドガードクイックリリース構造に関する。
【背景技術】
【０００２】
トイガンは多くのサバイバルゲームプレイヤーが使用する必要がある装備であり、早期のトイガンは多くが一般的な単なる発砲機能を有するだけで、感覚のリアルなシミュレーション機能はなかったが、現在ではプレイヤーたちがリアリティを重視し、戦場にいるかのような刺激を求めるようになっている。トイガンには必然的にいわゆるハンドガード構造が設置されており、ハンドガードの用途は非常に簡単で、主にハンドガードは銃の銃身を完全に包み込み、使用者に保護を提供するとともに、使用者が銃をしっかりと握ることができるようにして、射撃時の正確性を高めるために用いられる。
【０００３】
しかしながら、使用者がサバイバルゲームを行うとき、動作が激しく、体を回転させたり、トイガンを振り回したりしている間に、時折何かの物体にぶつかることがあり、その衝撃によりトイガンのハンドガードが破損し、使用者はゲーム終了後にハンドガードの交換が必要になることがある。
【０００４】
これに鑑み、前述のトイガンはハンドガードの交換時、次のような問題と欠点が確実に存在するため、改良が待たれている。
【０００５】
前述の一般的なトイガンはハンドガードの交換時、ネジによってハンドガード、ハンドガード固定リング、上銃身が固定されているため、使用者がハンドガードを交換したいとき、工具を利用してネジに合わせ、それを回転させて外さなければ、ハンドガードを取り外して交換する作業ができず、全体的に非常に手間がかかる。また手元に工具がないと、ハンドガードを取り外すことができないため、利便性の面で大きな減点であると言える。
【考案の概要】
【考案が解決しようとする課題】
【０００６】
本考案は、銃身軸着部と銃身枢着部の枢設、及びハンドガード軸着部とハンドガード枢着部の枢設を通じて、銃身係止部材とハンドガード係止部材の相互の係止を利用して銃身部とハンドガード部を固定することができ、迅速な結合と分離を達成し、工具を使用せずに着脱できるため、交換の時間、コスト、利便性を大幅に向上させることができる、トイガンのハンドガードクイックリリース構造を提供することを課題とする。
【課題を解決するための手段】
【０００７】
上述の主な目的を達成するため、本項案のトイガンのハンドガードクイックリリース構造は、銃身部と、ハンドガード部と、銃身係止部材と、ハンドガード係止部材を含み、該銃身部上に銃身軸着部が設けられ、かつ銃身部上に該ハンドガード部が設置され、該ハンドガード部上にハンドガード軸着部が設けられるほか、該銃身軸着部に銃身枢着部が枢着され、銃身枢着部が銃身係止部材の一端に位置し、銃身係止部材の銃身枢着部から離隔された一端に銃身結合部が設けられ、また該ハンドガード軸着部にハンドガード枢着部が枢着され、ハンドガード枢着部がハンドガード係止部材の一端に位置し、ハンドガード係止部材の他端にハンドガード結合部が設けられる。
【０００８】
以下この考案について説明する。請求項１に記載するトイガンのハンドガードクイックリリース構造は、主に、銃身軸着部を備えた銃身部と、前記銃身部上に設置され、かつハンドガード軸着部を備えたハンドガード部と、一端に前記銃身軸着部上に可動的に枢着される銃身枢着部を備え、前記銃身枢着部から離隔された位置に銃身結合部を備えた銃身係止部材と、一端に前記ハンドガード軸着部上に可動的に枢着されるハンドガード枢着部を備え、他端にハンドガード結合部を備えたハンドガード係止部材と、を含み、かつ前記ハンドガード係止部材が、前記ハンドガード部と前記銃身部を結合するとき、前記ハンドガード結合部と前記銃身結合部を相互に係合固定させることができ、前記ハンドガード部と前記銃身部を分離するとき、前記ハンドガード結合部を前記銃身結合部から離脱させることができ、かつ前記銃身結合部と前記ハンドガード結合部が結合により位置決めされる位置が、前記銃身枢着部と前記ハンドガード枢着部の水平高さより高い。
【０００９】
請求項２に記載するトイガンのハンドガードクイックリリース構造は、請求項１における銃身係止部材が、前記銃身結合部の前記銃身枢着部と反対側の一端にプル部を備えている。
【００１０】
請求項３に記載するトイガンのハンドガードクイックリリース構造は、請求項２におけるハンドガード部が底部に前記プル部を収容するためのハンドガード収容空間を備え、かつ前記ハンドガード収容空間の一側に通口が設けられる。
【００１１】
請求項４に記載するトイガンのハンドガードクイックリリース構造は、請求項２における銃身係止部材が、前記銃身結合部と前記プル部の間に水平抵触部を備えている。
【００１２】
請求項５に記載するトイガンのハンドガードクイックリリース構造は、請求項１における銃身結合部が２つの壁部を備え、前記２つの壁部間に嵌合空間が形成され、かつ前記２つの壁部間に、両端がそれぞれ各該壁部に接合された係止棒が設置される。
【００１３】
請求項６に記載するトイガンのハンドガードクイックリリース構造は、請求項５におけるハンドガード結合部が凹陥溝を備え、前記凹陥溝を前記嵌合空間内に挿入させて、前記係止棒と相互に結合させることができる。
【００１４】
請求項７に記載するトイガンのハンドガードクイックリリース構造は、請求項５における銃身係止部材が前記銃身枢着部と前記２つの壁部の間に配置され前記嵌合空間に連通された溝部を備えている。
【００１５】
請求項８に記載するトイガンのハンドガードクイックリリース構造は、請求項１におけるハンドガード枢着部が一側に銃身部下方に当接される圧迫部を備えている。
【考案の効果】
【００１６】
前述の構造により、使用者がトイガンのハンドガード部を取り外したいときは、まず銃身係止部材を引き、銃身係止部材の銃身枢着部を銃身軸着部に対して枢動させることができる。このときの下方向への回動の過程で、銃身結合部とハンドガード結合部の結合を通じ、勢いに沿ってハンドガード係止部材がハンドガード枢着部を回転軸として下へ回動され、一定程度まで下へ回動されると、銃身結合部とハンドガード結合部の嵌合状態が解除される。これにより、ハンドガード部を銃身部から離脱させ、交換を行うことができる。反対に、使用者がハンドガード部を取り付けたいときは、ハンドガード部を銃身部に合わせた後、ハンドガード係止部材の位置が銃身係止部材の前方にちょうど位置するため、使用者は銃身係止部材を上に回動させることができる。上に回動させる過程で、ハンドガード結合部が自然に銃身結合部に突き合わされ、このとき使用者が銃身係止部材を継続して押し動かすと、銃身結合部と該ハンドガード結合部が結合されて該銃身枢着部及び該ハンドガード枢着部の水平高さより高い位置に位置決めされ、係合固定の動作が完了する。
【００１７】
上述の技術により、従来のトイガンのハンドガード構造に存在する、ハンドガードの交換時にハンドガード、ハンドガード固定リング、上銃身がネジで固定されているために、使用者がハンドガードを交換したいとき、工具を利用してネジに合わせ、それを回転させて外さなければ、ハンドガードを取り外して交換する作業ができず、全体的に非常に手間がかかり、また手元に工具がないと、ハンドガードを取り外すことができないため、利便性の面で大きな減点である問題点を打破することができ、本考案は上述の利点のような実用的進歩性を達成することができる。
【図面の簡単な説明】
【００１８】
【図１】本考案のトイガンのバットストックとマガジンを省略した仰視立体図である。
【図２】本考案の図１のＡ−Ａ線での断面図である。
【図３】本考案の最良の実施例の分解図である。
【図４】本考案の最良の実施例の別角度の分解図である。
【図５】本考案のハンドガードの組立てを示す部分拡大動作図１である。
【図６】本考案のハンドガードの組立てを示す部分拡大動作図２である。
【図７】本考案のハンドガードの組立てを示す部分拡大動作図３である。
【図８】本考案のハンドガードの組立てを示す部分拡大動作図４である。
【考案を実施するための形態】
【００１９】
図１から図４に示す本考案のトイガンのバットストックとマガジンを省略した仰視立体図の分解図までを参照する。これらの図からはっきりと分かるように、本考案は銃身部１と、ハンドガード部２と、銃身係止部材３と、ハンドガード係止部材４を含む。
【００２０】
銃身部１は、銃身軸着部１１を備えている。
【００２１】
ハンドガード部２は該銃身部１上に設置され、かつ該ハンドガード部２上にハンドガード軸着部２１が設けられ、かつハンドガード部２の底部に、後述するプル部３３を収容するためのハンドガード収容空間２２が形成され、かつハンドガード収容空間２２の一側に通口２３が設けられる。
【００２２】
銃身係止部材３は、一端に該銃身軸着部１１上に可動的に枢着される銃身枢着部３１を備え、該銃身枢着部３１から離隔された位置に銃身結合部３２が設けられ、かつ銃身係止部材３の該銃身結合部３２の該銃身枢着部３１とは反対側の一端にプル部３３が設けられ、また銃身結合部３２と該プル部３３間に水平抵触部３４が設けられる。このほか、前述の銃身結合部３２が２つの壁部３２１を備え、該２つの壁部３２１間に嵌合空間３２２が形成され、かつ該２つの壁部３２１間に両端がそれぞれ各該壁部３２１に接合された係止棒３２３が設置される。
【００２３】
ハンドガード係止部材４は、一端に該ハンドガード軸着部２１上に可動的に枢着されるハンドガード枢着部４１を備え、他端にハンドガード結合部４２を備えている。該ハンドガード結合部４２は凹陥溝４２１を備え、該凹陥溝４２１を該嵌合空間３２２内に挿入させて該係止棒３２３と相互に結合させることができる。
【００２４】
そのうち、該銃身係止部材３は該銃身枢着部３１と該２つの壁部３２１間に配置され、該嵌合空間３２２に連通された溝部３５を備えている。
【００２５】
上述の構造部材の動作により、ハンドガード係止部材４はハンドガード部２と銃身部１を結合するとき、ハンドガード結合部４２が銃身結合部３２と相互に係合固定され、該ハンドガード部２と該銃身部１を分離するとき、該ハンドガード結合部４２が該銃身結合部３２から離脱される。
【００２６】
同時に図２から図８に示す本考案の図１のＡ−Ａ線での断面図からハンドガードの組立てを示す部分拡大動作図４までを参照する。これらの図からはっきりと分かるように、本実施例の銃身軸着部１１及びハンドガード軸着部２１は、穿通孔に軸棒を組み合わせたものを例としており、銃身枢着部３１及びハンドガード枢着部４１は軸棒上に枢着される貫通孔を例としている。このほか、銃身結合部３２とハンドガード結合部４２が結合により位置決めされる位置は銃身枢着部３１とハンドガード枢着部４１の水平高さより高い。図２を同時に参照し、結合位置についてさらに説明すると、銃身軸着部１１とハンドガード軸着部２１が同一水平面上に位置し、ここでは水平基準線Ａを参考点とする。銃身係止部材３がすでに上に係止かつ固定され、水平抵触部３４がハンドガード部２の底部に当接された状態にあるとき、銃身結合部３２とハンドガード結合部４２の結合の水平位置（水平基準線Ｂ）が水平基準線Ａより高い。このほか、銃身係止部材３の回動半径の経路は進行基準線Ｃを参考点とし、ハンドガード係止部材４の回動半径の経路は進行基準線Ｄを参考点とする。
【００２７】
使用者がハンドガード部２を取り付けたいときは、ハンドガード枢着部４１がハンドガード軸着部２１に枢着された状態にあるため、ハンドガード係止部材４は自由に動く状態であり、ハンドガード部２を後方に移動させて銃身部１に当接・接合させた後は、図６に示すように、ハンドガード係止部材４が銃身係止部材３の一側に隣接し、かつハンドガード結合部４２の位置もちょうど銃身枢着部３１と銃身結合部３２の間に位置する。その後さらに銃身枢着部３１と銃身軸着部１１を軸として銃身係止部材３を上に回動させると、回動の過程で、銃身結合部３２とハンドガード結合部４２が相互に結合され、凹陥溝４２１が２つの壁部３２１により形成された嵌合空間３２２内に進入して、係止棒３２３と相互に係合され、図７に示す位置にきたとき、ハンドガード係止部材４の一部が溝部３５内に進入する。銃身結合部３２を進行基準線Ｃに沿って上に回動させると、ハンドガード結合部４２が進行基準線Ｄに沿って上に回動されて、水平基準線Ａと平行になった後、進行基準線Ｃと進行基準線Ｄが重なった状態になり、この箇所が銃身結合部３２とハンドガード結合部４２の係合が最もきつい位置となる。続けて上に押圧されると、銃身結合部３２とハンドガード結合部４２が水平基準線Ｂの位置に来るが、このとき進行基準線Ｃとハンドガード軸着部２１間の距離がすでに進行基準線Ｄとハンドガード軸着部２１間の距離より若干大きいため、比較的緩い状態が形成される。このようにして銃身係止部材３とハンドガード係止部材４の係止固定を完了し、ハンドガード部２を銃身部１上に固定することができる。このほか、ハンドガード枢着部４１の一側に圧迫部４１１があるため、銃身係止部材３とハンドガード係止部材４の係止固定が完了した後も、同時に圧迫部４１１による銃身部１下方に対する圧迫を利用して、その係止固定をより強化し、二重の固定保障が達成され、銃身係止部材３とハンドガード係止部材４の離脱を回避することができる。
【００２８】
反対に、使用者がハンドガード部２を取り外したいときは、指で銃身係止部材３の側辺部をつかむか、指を通口２３箇所からハンドガード収容空間２２内に進入させてプル部３３を引くことができ、本実施例はプル部３３で銃身係止部材３を動かすことを例とし、さらに銃身係止部材３を直接下へ引いて銃身結合部３２とハンドガード結合部４２の係止固定状態を解除することで、迅速な取り外しの目的を達成することができる。
【００２９】
従って、全部の図面に示すように、本考案の使用時は従来の技術と比較して次の利点が存在する。
【００３０】
第一に、銃身係止部材３とハンドガード係止部材４の組み合わせ設計を通じて、最少かつ最も簡単な構造を利用し、ハンドガード部２を迅速に結合する効果を備えている。
【００３１】
第二に、銃身結合部３２とハンドガード結合部４２が結合により位置決めされる位置が、銃身枢着部３１とハンドガード枢着部４１の水平高さより高いという技術的特徴を利用し、いかなる追加の保持技術も必要とせずに、係止固定の効果を形成することができる。
【００３２】
第三に、ハンドガード部２の取り外し、またはハンドガード部２の取り付け時、いかなる補助工具も必要とせずに、取り外しまたは取り付けを行うことができ、非常に便利である。
【符号の説明】
【００３３】
１    銃身部
１１    銃身軸着部
２    ハンドガード部
２１    ハンドガード軸着部
２２    ハンドガード収容空間
２３    通口
３    銃身係止部材
３１    銃身枢着部
３２    銃身結合部
３２１    壁部
３２２    嵌合空間
３２３    係止棒
３３    プル部
３４    水平抵触部
３５    溝部
４    ハンドガード係止部材
４１    ハンドガード枢着部
４１１    圧迫部
４２    ハンドガード結合部
４２１    凹陥溝
【図１】
0003232046.tif 000003
【図２】
0003232046.tif 000004
【図３】
0003232046.tif 000005
【図４】
0003232046.tif 000006
【図５】
0003232046.tif 000007
【図６】
0003232046.tif 000008
【図７】
0003232046.tif 000009
【図８】
0003232046.tif 000010
【手続補正書】
【提出日】令和3年3月15日(2021.3.15)
【手続補正１】
【補正対象書類名】実用新案登録請求の範囲
【補正対象項目名】全文
【補正方法】変更
【補正の内容】
【実用新案登録請求の範囲】
【請求項１】
トイガンのハンドガードクイックリリース構造であって、銃身軸着部を備えた銃身部と、
前記銃身部上に設置され、かつハンドガード軸着部を備えたハンドガード部と、
一端に前記銃身軸着部上に可動的に枢着される銃身枢着部を備え、前記銃身枢着部から離隔された位置に銃身結合部を備えた銃身係止部材と、
一端に前記ハンドガード軸着部上に可動的に枢着されるハンドガード枢着部を備え、他端にハンドガード結合部を備えたハンドガード係止部材と、を含み、かつ前記ハンドガード係止部材が、前記ハンドガード部と前記銃身部を結合するとき、前記ハンドガード結合部と前記銃身結合部を相互に係合固定させることができ、前記ハンドガード部と前記銃身部を分離するとき、前記ハンドガード結合部を前記銃身結合部から離脱させることができ、かつ前記銃身結合部と前記ハンドガード結合部が結合により位置決めされる位置が、前記銃身枢着部と前記ハンドガード枢着部の水平高さより高い、ことを特徴とする、トイガンのハンドガードクイックリリース構造。
【請求項２】
前記銃身係止部材が、前記銃身結合部の前記銃身枢着部と反対側の一端にプル部を備えた、ことを特徴とする、請求項１に記載のトイガンのハンドガードクイックリリース構造。
【請求項３】
前記ハンドガード部が底部に前記プル部を収容するためのハンドガード収容空間を備え、かつ前記ハンドガード収容空間の一側に通口が設けられた、ことを特徴とする、請求項２に記載のトイガンのハンドガードクイックリリース構造。
【請求項４】
前記銃身係止部材が、前記銃身結合部と前記プル部の間に前記ハンドガード部の底部に当接する水平抵触部を備えた、ことを特徴とする、請求項２に記載のトイガンのハンドガードクイックリリース構造。
【請求項５】
前記銃身結合部が２つの壁部を備え、前記２つの壁部間に嵌合空間が形成され、かつ前記２つの壁部間に、両端がそれぞれ各該壁部に接合された係止棒が設置された、ことを特徴とする、請求項１に記載のトイガンのハンドガードクイックリリース構造。
【請求項６】
前記ハンドガード結合部が凹陥溝を備え、前記凹陥溝を前記嵌合空間内に挿入させて、前記係止棒と相互に結合させることができる、ことを特徴とする、請求項５に記載のトイガンのハンドガードクイックリリース構造。
【請求項７】
前記銃身係止部材が前記銃身枢着部と前記２つの壁部の間に配置され前記嵌合空間に連通された溝部を備えた、ことを特徴とする、請求項５に記載のトイガンのハンドガードクイックリリース構造。
【請求項８】
前記ハンドガード枢着部が一側に銃身部下方に当接される圧迫部を備えた、ことを特徴とする、請求項１に記載のトイガンのハンドガードクイックリリース構造。
【手続補正２】
【補正対象書類名】明細書
【補正対象項目名】０００８
【補正方法】変更
【補正の内容】
【０００８】
以下この考案について説明する。請求項１に記載するトイガンのハンドガードクイックリリース構造は、銃身軸着部を備えた銃身部と、前記銃身部上に設置され、かつハンドガード軸着部を備えたハンドガード部と、一端に前記銃身軸着部上に可動的に枢着される銃身枢着部を備え、前記銃身枢着部から離隔された位置に銃身結合部を備えた銃身係止部材と、一端に前記ハンドガード軸着部上に可動的に枢着されるハンドガード枢着部を備え、他端にハンドガード結合部を備えたハンドガード係止部材と、を含み、かつ前記ハンドガード係止部材が、前記ハンドガード部と前記銃身部を結合するとき、前記ハンドガード結合部と前記銃身結合部を相互に係合固定させることができ、前記ハンドガード部と前記銃身部を分離するとき、前記ハンドガード結合部を前記銃身結合部から離脱させることができ、かつ前記銃身結合部と前記ハンドガード結合部が結合により位置決めされる位置が、前記銃身枢着部と前記ハンドガード枢着部の水平高さより高い。
【手続補正３】
【補正対象書類名】明細書
【補正対象項目名】００１１
【補正方法】変更
【補正の内容】
【００１１】
請求項４に記載するトイガンのハンドガードクイックリリース構造は、請求項２における銃身係止部材が、前記銃身結合部と前記プル部の間に前記ハンドガード部の底部に当接する水平抵触部を備えている。